(57)【要約】【課題】使用者が開封部分を認識し易いパッケージを提供する。【解決手段】実施形態にかかるパッケージ１０は、おむつ１００を包装する基層１１（包装体）を有している。基層１１の最外層に、おむつ１００と使用者の手の皮膚を想定した疑似皮膚との接触によって発生する擦過音が相対的に異なる擦過部１２（領域）を備えている。【選択図】図２
2020196481.tif 000002
【特許請求の範囲】
【請求項１】
吸収性物品を包装する包装材を有し、
前記包装材の最外層に、前記吸収性物品と使用者の手の皮膚を想定した疑似皮膚との接触によって発生する擦過音が相対的に異なる領域を備えた、パッケージ。
【請求項２】
前記包装材に、相対的に剛性が低く前記使用者が切断して開封する切断部が備えられ、
前記領域は、前記切断部の周辺において、前記包装材の外側表面と前記疑似皮膚との接触によって擦過音を発生させる擦過部によって構成された、請求項１に記載のパッケージ。
【請求項３】
前記擦過部は、前記切断部を境にした両側に設けて構成された、請求項２に記載のパッケージ。
【請求項４】
前記擦過部は、前記切断部を境にした両側を部分的に欠落させて構成された、請求項２に記載のパッケージ。
【請求項５】
前記擦過部は、前記疑似皮膚との接触によって擦過音を発生させるマット材によって構成されている、請求項１乃至４のいずれか１項に記載のパッケージ。
【請求項６】
前記領域は、開封口を示す報知部の周辺に備えられている、請求項１乃至５のいずれか１項に記載のパッケージ。
【発明の詳細な説明】
【技術分野】
【０００１】
本発明は、パッケージに関する。
【背景技術】
【０００２】
従来から、外装体によって吸収性物品が包装されている。特許文献１において、吸収性物品と、その吸収性物品を包装している外装体には、使用者が吸収性物品の仕様を確認するための情報が表示されている。
【先行技術文献】
【特許文献】
【０００３】
【特許文献１】特開２０１１−１１１１６５号公報
【発明の概要】
【発明が解決しようとする課題】
【０００４】
ところで、パッケージに包装されている吸収性物品の開封部分が使用者に認識され易いことが好ましい。
【０００５】
本発明の目的は、使用者が開封部分を認識し易いパッケージを提供することである。
【課題を解決するための手段】
【０００６】
本発明のパッケージは、吸収性物品を包装する包装材を有し、包装材の最外層に、吸収性物品と使用者の手の皮膚を想定した疑似皮膚との接触によって発生する擦過音が相対的に異なる領域を備えている。
【発明の効果】
【０００７】
本発明のパッケージによれば、使用者が開封部分を認識し易い。
【図面の簡単な説明】
【０００８】
【図１】実施形態にかかるパッケージ１０の斜視図である。
【図２】パッケージ１０の一部の斜視図である。
【図３】パッケージ１０の正面の部分の断面図である。
【図４】実施形態の変形例１にかかるパッケージ２０の一部の斜視図である。
【図５】実施形態の変形例２にかかるパッケージ３０の一部の斜視図である。
【図６】実施形態の変形例３にかかるパッケージ４０の一部の斜視図である。
【発明を実施するための形態】
【０００９】
実施形態にかかるパッケージ１０について図１乃至図３を参照しながら説明する。図１は、実施形態にかかるパッケージ１０の斜視図である。図２は、パッケージ１０の一部の斜視図である。図３は、パッケージ１０の正面の部分の断面図である。
【００１０】
パッケージ１０には、図１に示すように、複数のおむつ１００（吸収性物品）が包装されている。尚、パッケージ１０によって包装する吸収性物品は、おむつ１００を想定しているが、ナプキン等としてもよい。パッケージ１０を構成する基層１１、擦過部１２、表示層１３及び報知部１４について説明する。
【００１１】
基層１１（包装体）は、袋状に形成され、おむつ１００を包装する層である。基層１１は、複数のおむつ１００を収納する。基層１１の正面１１ａに、相対的に剛性が低く使用者が切断して開封する切断部１１Ｋが備えられている。ここで、使用者が、切断部１１Ｋを手５００でつまんで引っ張ると、切断部１１Ｋを境にして、切断片１１Ｐが形成される。この切断片１１Ｐによって、基層１１に開封口が形成される。基層１１は、例えば、ポリアミド、ポリエステル、ポリブチレンテレフタレート又はポリエチレンテレフタレート等からなる。
【００１２】
擦過部１２（領域）は、基層１１の最外層に設けられ、おむつ１００と使用者の手の皮膚を想定した疑似皮膚との接触によって発生する擦過音が、基層１１と相対的に異なる。擦過音は、摩擦音の一種である。擦過音が異なるとは、後述するように、音の周波数または音圧レベル等が異なることである。擦過部１２は、例えば三角形状の第１擦過部１２Ｓ及び第２擦過部１２Ｔからなり、切断部１１Ｋを境にした両側に設けて構成されている。擦過部１２は、切断部１１Ｋの周辺において、基層１１の外側表面と疑似皮膚との接触によって擦過音を発生させる。擦過部１２は、後述する開封口を示す報知部１４の周辺に備えられている。擦過部１２は、疑似皮膚との接触によって擦過音を発生させるマット材によって構成されている。具体的には、擦過部１２は、樹脂１２ｍに粒状のマット剤１２ｎが含有されて構成されている。樹脂１２ｍは、例えば、アクリル系樹脂、エポキシ系樹脂、ウレタン系樹脂、ポリオレフィン系樹脂、フッ素系樹脂又はフェノキシ系樹脂等からなる。マット剤１２ｎは、例えば、シリカ、アルミナ、酸化カルシウム、炭酸カルシウム、硫酸カルシウム、ケイ酸カルシウム又はカーボンブラック等からなる。
【００１３】
擦過部１２と疑似皮膚との接触によって発生する擦過音について説明する。実験の結果、擦過部１２と疑似皮膚との擦過音は、２５００Ｈｚの周波数において４５．９ｄＢとなった。また、基層１１と疑似皮膚との擦過音は、３１５０Ｈｚの周波数において５１．１ｄＢとなった。摩擦音の一種である擦過音は、次のようにして測定した。測定台の上に使用者の指を想定した疑似皮膚（株式会社ビューラックス社製のバイオスキンプレート（Ａ４ハイブリッドゲル５Ｔ−１１×０．２１Ｓ、ウェットコーティング））を固定し、１ｋＰａになるように調整した錘（接触面５ｃｍ  ｘ  ５ｃｍ、錘２．５ｋｇ）の下面にフィルムを固定し、疑似皮膚の上を一定方向に１０ｃｍの距離を１秒間に２０往復させた。この際、錘から１０ｃｍの位置に騒音計（リオン株式会社製、精密騒音計  ＮＬ−５２）を固定し、摩擦により生じる音の測定を行った。１０００Ｈｚ〜４０００Ｈｚの各周波数（１０００、１２５０、１６００、２０００、２５００、３１５０及び４０００Ｈｚ）における音圧レベル（ｄＢ）を記録し、その最大値を算出した。同様に、前記方向と直交する方向についても測定を行なった。それぞれの方向について、各３回ずつ計測し、６点の測定値の平均値を算出した。
【００１４】
表示層１３は、例えば、基層１１の右側面１１ｂの下方に設けられ、おむつ１００に関する情報がインクによって印刷された層である。情報は、例えば、パッケージ１０に包装されているおむつ１００のサイズや枚数である。表示層１３は、例えば、カーボンブラック、ジアミン、ポリオール、硬化剤及び有機溶媒等を含有してなるインク組成物が、グラビア印刷法等によって、基層１１の外表面側に塗布されて形成されている。有機溶媒は、例えば、トルエン等からなり、印刷後に揮発する。硬化剤は、例えば、イソシアネート等からなる。
【００１５】
報知部１４は、使用者に開封口を報知するマークである。報知部１４は、基層１１の正面１１ａに設けられ、擦過部１２の周辺に位置する。報知部１４は、例えば、ＯＰＥＮの文字からなる。
【００１６】
実施形態の変形例１にかかるパッケージ２０について図４を参照しながら説明する。図４は、実施形態の変形例１にかかるパッケージ２０の一部の斜視図である。実施形態の変形例１において、前述した実施形態と同様の構成は、同一の符号を付して説明を省略する。
【００１７】
図４に示す実施形態の変形例１において、擦過部２１は、切断部１１Ｋを境にした両側を部分的に欠落させて構成されている。具体的には、擦過部２１は、基層１１の正面１１ａ、右側面１１ｂ、左側面１１ｃ及び天井面１１ｄに設けられている。擦過部２１は、基層１１の正面１１ａにおいて、例えば三角形状の空隙からなる第１擦過部２１Ｓ及び第２擦過部２１Ｔを、切断部１１Ｋを境にした両側に設けて構成されている。
【００１８】
実施形態の変形例２にかかるパッケージ３０について図５を参照しながら説明する。図５は、実施形態の変形例２にかかるパッケージ３０の一部の斜視図である。実施形態の変形例２において、前述した実施形態と同様の構成は、同一の符号を付して説明を省略する。
【００１９】
基層１１の切断部１１Ｋは、基層１１の天井面１１ｄに備えられている。擦過部３１は、例えば三角形状の第１擦過部３１Ｓ及び第２擦過部３１Ｔからなり、切断部１１Ｋを境にした両側に設けて構成されている。すなわち、擦過部３１は、基層１１の天井面１１ｄに設けられている。報知部１４は、第１擦過部３１Ｓ及び第２擦過部３１Ｔの周辺に位置している。
【００２０】
実施形態の変形例３にかかるパッケージ４０について図６を参照しながら説明する。図６は、実施形態の変形例３にかかるパッケージ４０の一部の斜視図である。実施形態の変形例３において、前述した実施形態と同様の構成は、同一の符号を付して説明を省略する。
【００２１】
擦過部４１は、基層１１の天井面１１ｄに設けられた切断部１１Ｋを境にした両側を部分的に欠落させて構成されている。擦過部４１は、基層１１の正面１１ａ、右側面１１ｂ、左側面１１ｃ及び天井面１１ｄに設けられている。擦過部４１は、基層１１の天井面１１ｄにおいて、例えば三角形状の空隙からなる第１擦過部４１Ｓ及び第２擦過部４１Ｔを、切断部１１Ｋを境にした両側に設けて構成されている。報知部１４は、第１擦過部４１Ｓ及び第２擦過部４１Ｔの周辺に位置している。
【００２２】
実施形態にかかるパッケージ１０、２０、３０及び４０の作用効果について説明する。
【００２３】
例えば、図２に示す実施形態において、パッケージ１０は、おむつ１００を包装する基層１１（包装体）を有している。基層１１の最外層に、おむつ１００と使用者の手の皮膚を想定した疑似皮膚との接触によって発生する擦過音が相対的に異なる擦過部１２（領域）を備えている。このような構成によれば、使用者が、パッケージ１０を手で触れた際に、周囲に対して音の異なる擦過部１２を目印にして、パッケージ１０の開封部分を容易に認識できる。この結果、パッケージ１０は、使用者が開封部分を認識し易い。例えば就寝中の子供を起こさないように、使用者が暗所でパッケージ１０を開封するような場合に好適である。
【００２４】
例えば、図２に示す実施形態において、基層１１に、相対的に剛性が低く使用者が切断して開封する切断部１１Ｋが備えられている。領域は、切断部１１Ｋの周辺において、基層１１の外側表面と疑似皮膚との接触によって擦過音を発生させる擦過部１２によって構成されている。このような構成によれば、切断部１１Ｋまたは１１Ｋの位置を使用者が認識することができる。具体的には、パッケージ１０には開封のためのミシン目からなる切断部１１Ｋが設けられている、ミシン目がどこにあるのかが分かり難いことがある。印刷による報知部１４は、開封口の目印となるが、暗所では視認し難いことも有り得る。このため、擦過部１２によって、切断部１１Ｋまたは１１Ｋの位置を使用者に精度良く認識させる。
【００２５】
図２に示す実施形態において、擦過部１２は、切断部１１Ｋを境にした両側に設けて構成されている。図５に示す実施形態の変形例２において、擦過部３２は、切断部１１Ｋを境にした両側に設けて構成されている。このような構成によれば、擦過音を発生させる擦過部１２を基層１１に局所的に設ける構成によって、開封口の目印とすることができる。また、切断部１１Ｋまたは１１Ｋの位置を使用者が精度良く認識することができる。
【００２６】
図４に示す実施形態の変形例１において、擦過部２１は、切断部１１Ｋを境にした両側を部分的に欠落させて構成されている。図６に示す実施形態の変形例３において、擦過部４１は、切断部１１Ｋを境にした両側を部分的に欠落させて構成されている。このような構成によれば、擦過音を発生させる擦過部２１または４１を基層１１に局所的に設けない構成によって、開封口の目印とすることができる。また、切断部１１Ｋまたは１１Ｋの位置を使用者が精度良く認識することができる。
【００２７】
全ての実施形態において、擦過部１２、２１、３１及び４１は、疑似皮膚との接触によって擦過音を発生させるマット材によって構成されている。このような構成によれば、マット材によって、擦過音を効果的に発生させて、使用者に認識させることができる。
【００２８】
全ての実施形態において、擦過部１２、２１、３１及び４１（領域）は、開封口を示す報知部１４の周辺に備えられている。このような構成によれば、擦過部１２、２１、３１及び４１と報知部１４とを関連付けて、使用者に認識させることができる。
【００２９】
本発明を実施するに当たり、上記の実施形態は、一例であり、具体的な態様を種々に変更して実施できる。
【符号の説明】
【００３０】
１０…パッケージ、１１…基層、１１ａ…正面、１１ｂ…右側面、１１ｃ…左側面、
１１ｄ…天井面、１１Ｋ…切断部、１１Ｐ…切断片、１２…擦過部、１２ｍ…樹脂、
１２ｎ…マット剤、１２Ｓ…第１擦過部、１２Ｔ…第２擦過部、１３…表示層、
１４…報知部、２０…パッケージ、２１…擦過部、２１Ｓ…第１擦過部、
２１Ｔ…第２擦過部、３０…パッケージ、３１…擦過部、３１Ｓ…第１擦過部、
３１Ｔ…第２擦過部、３２…擦過部、４０…パッケージ、４１…擦過部、
４１Ｓ…第１擦過部、４１Ｔ…第２擦過部、１００…おむつ（吸収性物品）、
５００…手
【図１】
2020196481.tif 000003
【図２】
2020196481.tif 000004
【図３】
2020196481.tif 000005
【図４】
2020196481.tif 000006
【図５】
2020196481.tif 000007
【図６】
2020196481.tif 000008